(57)【要約】【課題】電源を要することなく水素を肌に作用させる。【解決手段】クエン酸を含むジェルを肌に塗布し、ジェルが塗布された部分に蓋部２０Ｃを接触させる。蓋部２０Ｃを肌に接触させると、肌に塗布されているジェルが蓋部２０Ｃの穴の部分に露出している水素発生部３０に接し、クエン酸を含むジェルとマグネシウムである水素発生部３０との化学反応により水素が発生する。発生した水素は、ジェルが塗布されている肌に作用する。【選択図】図２
2018038591.tif 000002
【特許請求の範囲】
【請求項１】
酸を含む液体に接することにより水素を発生する水素発生手段と、
肌に前記水素発生手段を対向させるための固定用部材と、
前記固定用部材に対して前記水素発生手段を固定する固定手段
を備える美容器。
【請求項２】
前記水素発生手段より肌側に位置して肌に接する接触部を有し、
前記接触部と前記水素発生手段との間に段差がある
請求項１に記載の美容器。
【請求項３】
前記固定手段は、磁石を有し、
前記水素発生手段に固定された前記磁石が磁性体である前記固定用部材に接して前記水素発生手段を固定する、又は磁性体であって前記固定用部材との間に前記水素発生手段を挟む前記接触部を前記磁石により前記固定用部材側に引き寄せ、前記接触部と前記固定用部材との間に前記水素発生手段を挟んで固定する
請求項２に記載の美容器。
【請求項４】
前記液体は、ジェルであってクエン酸を有する請求項１から請求項３のいずれか一項に記載の美容器。
【請求項５】
少なくとも、前記肌にイオンを導入するイオン導入手段、前記肌を振動させる振動手段、前記肌を温める温熱手段、又は筋肉を収縮させる収縮手段のいずれかを有する
請求項１から請求項４のいずれか一項に記載の美容器。
【発明の詳細な説明】
【技術分野】
【０００１】
本発明は、美容器に関する。
【背景技術】
【０００２】
水素を肌に作用させる発明として、例えば特許文献１に開示されたミスト発生装置がある。このミスト発生装置は、水素を含む液体を電気分解により生成し、生成した液体を噴霧化ユニットで霧化して放出する。
【先行技術文献】
【特許文献】
【０００３】
【特許文献１】特開２０１３−１７６６７号公報
【発明の概要】
【発明が解決しようとする課題】
【０００４】
特許文献１に開示されたミスト発生装置は、電気分解や霧化を行うために電極、電子回路、超音波素子及びバッテリーなどを備えているが、電源がないと水素の発生や霧化を行えなくなってしまい、水素を肌に作用させることができなくなってしまう。
【０００５】
本発明は、電源を要することなく水素を肌に作用させることを目的とする。
【課題を解決するための手段】
【０００６】
本発明は、酸を含む液体に接することにより水素を発生する水素発生手段と、肌に前記水素発生手段を対向させるための固定用部材と、前記固定用部材に対して前記水素発生手段を固定する固定手段を備える美容器を提供する。
【０００７】
また、本発明においては、前記水素発生手段より肌側に位置して肌に接する接触部を有し、前記接触部と前記水素発生手段との間に段差がある構成としてもよい。
【０００８】
また、本発明においては、前記固定手段は、磁石を有し、前記水素発生手段に固定された前記磁石が磁性体である前記固定用部材に接して前記水素発生手段を固定する、又は磁性体であって前記固定用部材との間に前記水素発生手段を挟む前記接触部を前記磁石により前記固定用部材側に引き寄せ、前記接触部と前記固定用部材との間に前記水素発生手段を挟んで固定する構成としてもよい。
【０００９】
また、本発明においては、前記液体は、ジェルであってクエン酸を有する構成としてもよい。
【００１０】
また、本発明においては、少なくとも、前記肌にイオンを導入するイオン導入手段、前記肌を振動させる振動手段、前記肌を温める温熱手段、又は筋肉を収縮させる収縮手段のいずれかを有する構成としてもよい。
【発明の効果】
【００１１】
本発明によれば、電源を要することなく水素を肌に作用させることができる。
【図面の簡単な説明】
【００１２】
【図１】本発明の実施形態に係る美容器１の外観図。
【図２】図１に示した美容器１のＡ−Ａ線断面図。
【図３】変形例に係る美容器１Ａの断面図。
【図４】変形例に係る美容器１Ｂの断面図。
【図５】変形例に係る美容器１Ｃの外観図。
【図６】図５のＢ−Ｂ線断面図。
【発明を実施するための形態】
【００１３】
［実施形態］
図１は、本発明の実施形態に係る美容器１の外観を示した図であり、図２は、図１に示した美容器１のＡ−Ａ線断面図である。美容器１は、水素を発生させ、発生した水素を肌に作用させる装置である。
【００１４】
美容器１は、本体部１０、カバー２０、水素発生部３０、台座４０、及び磁石５０を備える。ユーザが手で持つ本体部１０は、合成樹脂を成形したものであり、内部に磁石５０を備える。なお、本体部１０は、本実施形態では合成樹脂となっているが、金属製であってもよい。本発明に係る固定用部材の一例である台座４０は、円柱形状であって本体部１０の上面に固定されており、その素材は合成樹脂である。水素発生部３０は、本発明に係る水素発生手段の一例であり、マグネシウムを円盤形状に成形したものである。
【００１５】
カバー２０は、内部が中空な円筒部２０Ｂの一端側（図２の下端側）にフランジ２０Ａを有する形状であり、その素材は磁石に引き寄せられる磁性体である。また、カバー２０は、円筒部２０Ｂの内径より小さい直径の穴を有する蓋部２０Ｃを円筒部２０Ｂの他端側（図２の上端側）に有する。
【００１６】
磁石５０は、リング型の永久磁石であって、図２の上下方向（リング型の中心軸の方向）に磁化されている。磁石５０は、図２の上方向から見たときに、台座４０の外周より外側に位置するように本体部１０の内側に固定されている。
【００１７】
ユーザは、美容器１を使用する際には、台座４０の上に水素発生部３０を置き、水素発生部３０が置かれた台座４０にカバー２０を上から被せる。水素発生部３０が置かれた台座４０にカバー２０を被せると、フランジ２０Ａが磁石５０に引き寄せられ、磁力によりカバー２０が本体部１０に対して固定される。また、カバー２０の内部においては、水素発生部３０が蓋部２０Ｃにより台座４０側へ押されて固定される。即ち、カバー２０と磁石５０は、水素発生部３０を固定する固定手段の一例として機能する。蓋部２０Ｃは穴を有するため、カバー２０の内側にある水素発生部３０が蓋部２０Ｃの穴から露出する。
【００１８】
次にユーザは、水素を肌に作用させるため、クエン酸を含むジェルを肌に塗布し、ジェルが塗布された部分に蓋部２０Ｃを接触させる。ここで、蓋部２０Ｃは、肌に接する接触部として機能する。なお、本実施形態においては、粘性がある液体の一例であるジェルを肌に塗布するが、ジェルより粘性の低い液体であってクエン酸を含む液体を肌に塗布してもよい。また、ジェルは、マグネシウムと反応して水素を発生するのであれば、クエン酸以外の酸性の物質を含むものであってもよい。蓋部２０Ｃを肌に接触させると、肌に塗布されているジェルが蓋部２０Ｃの穴の部分に露出している水素発生部３０に接し、クエン酸を含むジェルとマグネシウムである水素発生部３０との化学反応により水素が発生する。発生した水素は、ジェルが塗布されている肌に作用し、肌に対して抗酸化作用や老廃物の排出などの効果を得ることができる。なお、肌に接している蓋部２０Ｃの上面と、穴から露出している水素発生部３０の上面との間には、蓋部２０Ｃの厚みの段差があり、蓋部２０Ｃの上面より奥側に水素発生部３０が位置するため、本実施形態においては水素発生部３０が肌に直接触れないようになっている。
【００１９】
以上説明したように本実施形態によれば、化学反応を用いて水素を発生させるため、電源を要することなく水素を肌に作用させることができる。
【００２０】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００２１】
上述した実施形態においては、美容器１は、本体部１０の内部に磁石５０を有する構成であるが、磁石５０の位置は、本体部１０の内部に限定されるものではない。図３は、磁石５０を本体部１０の内部に備えていない変形例に係る美容器１Ａの断面図である。美容器１Ａは、美容器１と同じく本体部１０、カバー２０、水素発生部３０、台座４０及び磁石５０を有するが、磁石５０の配置位置が美容器１と異なり、フランジ２０Ａの下面にリング状の磁石５０が固定されている。また、美容器１Ａは、リング部材５１を有する。リング部材５１は、リング状の部材であり、その素材は磁石に引き寄せられる磁性体である。ユーザは、美容器１Ａを使用する際には、台座４０の上に水素発生部３０を置き、水素発生部３０が置かれた台座４０にカバー２０を上から被せる。水素発生部３０が置かれた台座４０にカバー２０を被せると、フランジ２０Ａに固定された磁石５０がリング部材５１に引き寄せられ、磁石５０が本体部１０に対して固定され、磁石５０が固定されているカバー２０も本体部１０に対して固定される。また、カバー２０の内部においては、水素発生部３０が蓋部２０Ｃにより台座４０側へ押されて固定される。蓋部２０Ｃは穴を有するため、美容器１と同様に、カバー２０の内側にある水素発生部３０が蓋部２０Ｃの穴から露出する。なお、フランジ２０Ａの下面に磁石５０を固定する場合、カバー２０の素材は合成樹脂であってもよい。
【００２２】
また、美容器１Ａにおいては、リング状の磁石５０は、フランジ２０Ａに固定されているが、本体部１０の外側であって、台座４０の外周より外側で本体部１０に固定されている構成でもよい。この構成の場合、磁石５０に磁性体であるフランジ２０Ａが引き寄せられ、カバー２０が本体部１０に対して固定される。なお、本体部１０の外側であって、台座４０の外周より外側に磁石５０を固定する場合、リング部材５１を設けないようにしてもよい。
【００２３】
上述した実施形態においては、カバー２０は、フランジ２０Ａと円筒部２０Ｂを有するが、フランジ２０Ａと円筒部２０Ｂを備えていないカバーで水素発生部３０を押さえる構成であってもよい。図４は、水素発生部３０を固定する構成の変形例に係る美容器１Ｂの断面図である。美容器１Ｂは、美容器１と同じく本体部１０、水素発生部３０、台座４０を有するが、磁石５０に替えて磁石５０Ａを有し、カバー２０に替えてカバー２２を有する。磁石５０Ａは、リング型の永久磁石であって、図４の上下方向（リング型の中心軸の方向）に磁化されており、台座４０の上面に固定されている。カバー２２は、中心部分に穴が開いた円盤形状であり、その素材は磁石に引き寄せられる磁性体である。ユーザは、美容器１Ｂを使用する際には、台座４０の上に水素発生部３０を置き、水素発生部３０及び磁石５０Ａの上にカバー２２を被せる。水素発生部３０及び磁石５０Ａにカバー２２を被せると、カバー２２が磁石５０Ａに対して固定されると共に、水素発生部３０がカバー２２により台座４０側へ押されて固定される。カバー２２は穴を有するため、美容器１と同様に、水素発生部３０がカバー２２の穴から露出する。なお、上述した構成では、磁石５０Ａを台座４０に固定しているが、カバー２２に磁石５０Ａを固定し、台座４０を磁性体としてもよい。この構成の場合、磁石５０Ａが台座４０に引き寄せられて固定され、水素発生部３０がカバー２２により台座４０側へ押されて固定される。
【００２４】
上述した実施形態においては、円柱形状の台座４０の上に水素発生部３０を固定する構成であるが、水素発生部３０を固定する構成は、実施形態の構成に限定されるものではない。図５は、台座４０を用いない変形例に係る美容器１Ｃの外観を示した図であり、図６は、図５のＢ−Ｂ線断面図である。美容器１Ｃは、美容器１と同じく本体部１０、水素発生部３０を有するが、磁石５０に替えて磁石５０Ｂを有し、台座４０に替えて保持部６０を有する。磁石５０Ｂは、リング型の永久磁石であって、図６の上下方向（リング型の中心軸の方向）に磁化されている。磁石５０Ｂは、水素発生部３０の下面に固定されている。本発明に係る固定用部材の一例である保持部６０は、磁石に引き寄せられる磁性体であり、中空の円筒の一方を閉じた形状となっている。ユーザは、美容器１Ｃを使用する際には、磁石５０Ｂが固定された水素発生部３０を保持部６０の内側に挿入する。水素発生部３０が保持部６０に挿入されると、水素発生部３０に固定されている磁石５０Ｂが保持部６０に引き寄せられ、水素発生部３０が固定される。保持部６０は開口しているため、水素発生部３０は、保持部６０内にあっても外部へ露出しており、クエン酸を含むジェルに接触して水素を発生させることができる。また、本変形例においては、保持部の開口している縁の部分が肌に触れる接触部となり、この縁の部分と水素発生部３０との間には段差が生じるため、水素発生部３０が肌に接することがない。なお、上述した変形例においては、水素発生部３０を保持部６０に対して固定する構成であるが、例えば、リップクリームや口紅を押し出す容器構造と同様の構造を備え、円柱形状の水素発生部３０を、本体部１０側から押し出す構成としてもよい。
【００２５】
本発明においては、美容効果を奏する他の構成を、上述した実施形態及び変形例に組み合わせてもよい。例えば、台座４０を備える構成においては、本体部１０の内部において台座４０の下方に超音波振動素子を配置し、カバー２０を超音波領域で振動させる構成としてもよい。また、保持部６０を備える構成においても、本体部１０の内部において保持部６０の下方に超音波振動素子を配置し、保持部６０を超音波領域で振動させる構成としてもよい。このように超音波振動素子を備える構成の場合、超音波振動素子の振動を肌に伝え、振動によって角質、皮脂、化粧などを取り除くことができる。
【００２６】
また、肌に接触させて高周波（ラジオ波）による温熱効果を発生させるための電極をカバー２０の外周より外側や保持部６０の外周より外側に設け、本体部１０の内部に設けた電子回路により公知の技術で電極に交流電圧を流して肌を温めるようにしてもよい。また、肌を温める構成としては、例えば、保持部６０を加熱して保持部６０の温度を制御し、加熱された保持部６０で肌を温める構成としてもよい。
【００２７】
また、ＥＭＳ（Electric Muscle Stimulation）を行うための電極をカバー２０の外周より外側や保持部６０の外周より外側に設け、電極に電流を流して筋肉を収縮させるようにしてもよい。
【００２８】
また、肌にイオン導入を行うための電極をカバー２０の外周より外側や保持部６０の外周より外側に設けると共に、イオン導入を行うための電子回路を本体部１０の内部に設け、水素の発生及び皮膚内部にイオン導入するための水溶性の化粧水や美容液を含浸させたシートを電極及び水素発生部３０に被せ、電極及び電子回路によるイオンの導入と、化学反応による水素の発生を同時に行う構成としてもよい。
【００２９】
上述した実施形態においては、水素発生部３０はマグネシウムを円盤形状に成形したものであるが、マグネシウムを含み、化学反応により水素を発生するものであれば、マグネシウムのみで形成されていなくてもよい。また、上述した実施形態においては、水素発生部３０は、円盤形状であるが、矩形の板状の形状であってもよい。
【符号の説明】
【００３０】
１、１Ａ、１Ｂ、１Ｃ…美容器、１０…本体部、２０…カバー、２０Ａ…フランジ、２０Ｂ…円筒部、２０Ｃ…蓋部、２２…カバー、３０…水素発生部、４０…台座、５０、５０Ａ、５０Ｂ…磁石、５０Ａ…、５１…リング部材、６０…保持部。
【図１】
2018038591.tif 000003
【図２】
2018038591.tif 000004
【図３】
2018038591.tif 000005
【図４】
2018038591.tif 000006
【図５】
2018038591.tif 000007
【図６】
2018038591.tif 000008